(57)【要約】【課題】立体表示装置及びシャッター眼鏡の非正規な組み合わせを判別可能にする。【解決手段】立体表示装置は、各映像の表示開始時及び表示停止時に新たな第２のプロトコルによるシャッター開及び閉の各コマンドを送信する。また、この間に短い間隔で、従来の第１のプロトコルによるシャッター開及び閉の各コマンドを送信する。シャッター眼鏡は、第２プロトコルのシャッター開及び閉のコマンドを受信した場合、即時にコマンドを実行する。また、第１プロトコルのシャッター開のコマンドを受信した場合、遅延してコマンドを実行し、短時間後にシャッターを閉にする。また、遅延時間中に第２プロトコルのコマンドを受信した場合は、第１プロトコルのコマンドの実行を中止する。【選択図】図２
2012175374.tif 000002
【特許請求の範囲】
【請求項１】
左眼用及び右眼用の各映像を交互に表示する映像表示装置であって、
前記各映像を表示する表示画面と
前記表示画面に前記各映像を表示するタイミングと、シャッター眼鏡が備える左及び右の各シャッターが交互に開閉するように、当該シャッター眼鏡の左または右のいずれか一方のシャッターを開閉する各コマンドを送信するタイミングとを制御するタイミング制御部と、
前記タイミング制御部からの信号に基づいて前記コマンドを送信する信号送信部とを備え、
前記信号送信部は、
第１方式のシャッター眼鏡の左または右のいずれか一方のシャッターを、前記第１方式のシャッター眼鏡が受信した時に開状態とする第１プロトコルによる開コマンド、及び、前記第１方式のシャッター眼鏡が受信した時に閉状態とする第１プロトコルによる閉コマンドと、
第２方式のシャッター眼鏡の左または右のいずれか一方のシャッターを、前記第２方式のシャッター眼鏡が受信した時に開状態とする第２プロトコルによる開コマンド、及び、前記第２方式のシャッター眼鏡が受信した時に閉状態とする第２プロトコルによる閉コマンドとを送信し、
前記タイミング制御部は、
前記第１プロトコルによる開コマンドの送信から前記第１プロトコルによる閉コマンドの送信までの第１の所定時間と比べて、前記第２プロトコルによる開コマンドの送信から前記第２プロトコルによる閉コマンドの送信までの第２の所定時間が短くなるように制御することを特徴とする、映像表示装置。
【請求項２】
前記第２の所定時間は、前記第１の所定時間の半分より短い、請求項１に記載の映像表示装置。
【請求項３】
前記表示画面と前記信号送信部は別体に設けられることを特徴とする、請求項１または２に記載の映像表示装置。
【請求項４】
左及び右のシャッターと、
映像表示装置が送信する前記左または右のシャッター開閉の各コマンドを受信する信号受信部と、
前記信号受信部が受信したコマンドに基づいて、前記各シャッターの開閉を制御するシャッター制御部とを備えたシャッター眼鏡であって、
前記信号受信部は、
第１方式の映像表示装置が送信する第１プロトコルによる開コマンド及び閉コマンドと、
第２方式の映像表示装置が送信する第２プロトコルによる開コマンド及び前記第２プロトコルによる開コマンドの送信から第３の所定時間経過後に送信される第２プロトコルによる閉コマンドを受信し、
前記シャッター制御部は、
前記第１プロトコルによる左または右のシャッターの開コマンドの受信時に、当該シャッターを開状態とし、
前記第１プロトコルによる左または右のシャッターの閉コマンドの受信時に、当該シャッターを閉状態とし、
前記第２プロトコルによる左または右のシャッターの開コマンドを受信時に、当該シャッターを開状態とし、当該シャッターが開状態となってから第４の所定時間経過後に、当該左または右のシャッターを閉状態とし、
前記第４の所定時間は、前記第３の所定時間に比べて短くなるように制御することを特徴とする、シャッター眼鏡。
【請求項５】
前記第４の所定時間は、前記第３の所定時間の半分より短い、請求項４に記載の映像表示装置。
【請求項６】
請求項１乃至３に記載の映像表示装置と請求項４または５に記載のシャッター眼鏡とからなる映像表示システム。
【請求項７】
前記映像表示装置の前記タイミング制御部は、前記第１プロトコルによる左または右のシャッターの開コマンドの送信から当該シャッターの前記第２プロトコルによる開コマンドの送信までの第５の所定時間が、前記第１の所定時間に比べて短くなるように制御し、
前記シャッター眼鏡の前記シャッター制御部は、前記第２プロトコルによる左または右のシャッターの開コマンドの受信時から第６の所定時間経過後に、前記第６の所定時間内に前記第１プロトコルによるコマンドを受信しなかった場合に、当該シャッターを開状態とし、前記第５の所定時間と前記第６の所定時間の合計は、前記第１の所定時間と比べて長くなるように制御することを特徴とする、請求項６に記載の映像表示システム。
【請求項８】
前記映像表示装置の前記タイミング制御部は、前記第１プロトコルによる左または右のシャッターの開コマンドの送信から当該シャッターの前記第２プロトコルによる開コマンドの送信までの第５の所定時間は、前記第１の所定時間に比べて短くなるように制御し、
前記シャッター眼鏡の前記シャッター制御部は、前記シャッター眼鏡の前記左または右のシャッターが開状態で、前記信号受信部が前記第２プロトコルによる開コマンドを受信した場合、前記第２プロトコルによる開コマンドを無効とすることを特徴とする、請求項６に記載の映像表示システム。
【発明の詳細な説明】
【技術分野】
【０００１】
本発明は、映像表示装置とシャッター眼鏡からなる映像表示システムに関するものである。
【背景技術】
【０００２】
近年、映像表示技術における一分野として、眼鏡と映像表示装置の組み合わせにより、視聴者に映像を立体的に認識させる映像表示システムが普及しつつある。このような映像表示システムの一方式として、シャッター眼鏡を用いたフィールドシーケンシャル方式がある。本方式による映像表示システムは、左眼用及び右眼用の映像である左映像と右映像とをフレーム周期と呼ばれる一定の周期で交互に表示する映像表示装置と、左映像と右映像との表示に同期して開閉する左眼用及び右眼用のシャッターである左シャッターと右シャッターとを備えるシャッター眼鏡とによって構成される。視聴者がシャッター眼鏡を装着し、映像表示装置の表示映像を見ると、視聴者の左眼及び右眼には、それぞれ左映像及び右映像のみが見えるため、立体映像が認識される。
【０００３】
映像表示装置の表示画面は、例えば特許文献１または２が開示するような液晶表示装置を用いて構成される。表示画面が映像として出力する光として、例えば、直線偏光を用いる方式と、例えば、特許文献３が開示するような、円偏光を用いる方式とがある。シャッター眼鏡の各シャッターは、偏光フィルタを含み、偏光フィルタの偏光特性を切り替えることによって、映像表示装置が表示した映像を透過させるシャッター開状態と、透過させないシャッター閉状態とを切り替えることができる。視聴者に立体映像映像を認識させるためには、シャッター眼鏡が、左映像を左シャッターのみに十分な光量で透過させ、右映像を右シャッターのみに十分な光量で透過させることが必要である。このためには、各シャッターの偏光特性の切替方式が、表示画面の出力する光の偏光特性に適合したものでなければならない。
【０００４】
このような映像表示システムにおいては、シャッター眼鏡の左右の各シャッター開閉を、映像表示装置による左映像及び右映像の表示の切り替えと同期させるため、映像表示装置から、例えば赤外線を用いた所定のプロトコルによる制御コマンドが、シャッター眼鏡に送信される。コマンドの種類としては、左シャッター開、左シャッター閉、右シャッター開、右シャッター閉の４コマンドが挙げられる。図８に、映像表示装置が、シャッター眼鏡を制御する様子を示す。映像表示装置は、左眼用の映像を表示画面に書き終わるタイミングで、左シャッター開コマンドを送信する（ステップＳ８０１）。左シャッター開コマンドを受信したシャッター眼鏡は、左シャッターを開状態とする（ステップＳ８０２）。映像表示装置は、ステップＳ８０１から所定時間Ｔ７経過後、左シャッター閉コマンドを送信する（ステップＳ８０３）。左シャッター閉コマンドを受信したシャッター眼鏡は、左シャッターを閉状態とする（ステップＳ８０４）。映像表示装置は、右眼用の映像を表示画面に書き終わるタイミングで、右シャッター開コマンドを送信する（ステップＳ８０５）。右シャッター開コマンドを受信したシャッター眼鏡は、右シャッターを開状態とする（ステップＳ８０６）。映像表示装置は、ステップＳ８０５から所定時間Ｔ７経過後、右シャッター閉コマンドを送信する（ステップＳ８０７）。右シャッター閉コマンドを受信したシャッター眼鏡は、右シャッターを閉状態とする（ステップＳ８０８）。以上のステップＳ８０１〜Ｓ８０８が、繰り返される。
【先行技術文献】
【特許文献】
【０００５】
【特許文献１】特開２００１−２７２６５１号公報
【特許文献２】特開２００４−６１６７０号公報
【特許文献３】特開２０１０−２５６７１３号公報
【発明の概要】
【発明が解決しようとする課題】
【０００６】
ここで、方式の異なる映像表示装置とシャッター眼鏡を不正規に組み合わせた場合の不都合について検討する。ある方式の映像表示システムに用いられるシャッター眼鏡と、この方式とは異なる他の方式の映像表示システムに用いられる映像表示装置とを誤って不正規に組み合わせて用いた場合について考える。
【０００７】
方式の異なる映像表示システム間で使用するプロトコルが異なる場合、シャッター眼鏡は、映像表示装置からのコマンドを受信しても応答することがないため、シャッター開閉の切り替え動作をしない。この場合、シャッター眼鏡のシャッターは、開状態が継続し、左映像及び右映像をともに透過させるか、閉状態が継続し、両映像をいずれも透過させないかのいずれかである。そのため、視聴者は、左右の両映像が重なったにじんだ映像を見るか、視野が暗闇となるかのいずれかである。そのため、視聴者は、立体映像を認識することができず、映像表示システムが故障したものと誤解するおそれがある。また、店頭でこのような不正規な組み合わせで展示をした場合、映像表示システムが不良品であるとの誤解を招き市場が混乱するおそれがある。また、視野が暗闇となる場合、視覚が奪われ危険である。
【０００８】
方式の異なる映像表示システム間で使用するプロトコルが同一の場合、シャッター眼鏡は、映像表示装置からのコマンドを受信した際、コマンドに応答し、映像表示装置による左右映像の表示の切り替えに同期してシャッター開閉の動作をする。この場合、シャッター眼鏡の左シャッターは、左映像のみ透過させ、右シャッターは右映像のみ透過させる。この限りでは問題にならないが、光学方式が異なる映像表示装置とそれに対応するシャッター眼鏡からなる方式の異なる映像表示システムが併存した場合に問題が生じうる。例えば、一方の方式の映像表示システムが円偏光方式の映像表示システムで、他方の方式の映像表示システムが直線偏光方式の映像表示システムの場合を考える。この際、直線偏光用のシャッターにも円偏光が透過し、また、円偏光用のシャッターに直線偏光も透過する。しかし、正しい組み合わせの場合に比べ、透過する映像は、光量が半分に減少するとともに波長分散の効果により色付きが発生する。このように、画質が劣化するものの、視聴者は立体映像を認識することができるため、不正規な組み合わせをしたものと気付かないまま、使用を継続するおそれがある。また、店頭でこのような不正規な組み合わせで展示をした場合、映像表示システムの映像品質が低いと誤認され、信用の低下、市場の混乱を招くおそれがある。
【０００９】
このような問題は、直線偏光方式及び円偏光方式の映像表示システム間においてのみならず、シャッター眼鏡を用いた映像表示システムにおいて、一般に方式の相異なるシステム間で発生しうる。図９に、このような問題を整理して示す。
【００１０】
図９の（ａ）は、光学方式が異なる映像表示システムにおいて、プロトコルが異なる場合の、各方式の映像表示装置及びシャッター眼鏡の不正規な組み合わせをした場合の動作の様子を示す。映像表示装置によるコマンド送信（ステップＳ９０１、Ｓ９０３、Ｓ９０５及びＳ９０７）は、図８に示した、正規な組み合わせの場合のステップＳ８０１、Ｓ８０３、Ｓ８０５及びＳ８０７と同様である。しかし、いずれのコマンドに対しても、シャッター眼鏡は反応せず、図８に示した、ステップＳ８０２、Ｓ８０４、Ｓ８０６及びＳ８０８と同様の動作が行われない。そのため、シャッター眼鏡のシャッターは、開状態または閉状態が継続するため、視聴者は立体映像を認識できない。
【００１１】
図９の（ｂ）は、光学方式が異なる映像表示システムにおいて、プロトコルが同一である場合の、各方式の映像表示装置及びシャッター眼鏡の不正規な組み合わせの動作の様子を示す。ステップＳ９１１〜９１８は、図８に示した、正規な組み合わせの場合におけるステップＳ８０１〜８０８と同様である。すなわち、プロトコルが同一である場合、映像表示装置及びシャッター眼鏡の動作自体は、正規な組み合わせの場合と同様である。そのため、視聴者は立体映像を認識できるが、光学方式が異なると、画質は劣ったものとなることが予想される。
【００１２】
以上のような問題があるため、新しい方式の映像表示システムの映像表示装置またはシャッター眼鏡は、既存の光学方式の映像表示システムのシャッター眼鏡または映像表示装置と不正規な組み合わせが行われた場合に判別可能にすることが重要となる。ここで、既存の映像表示システムは、新たな方式の映像表示システムとの不正規な組み合わせの問題を想定しておらず、販売済みの場合には後から対応することができない。かかる不正規な組み合わせの対応方法として、例えば、使用時に映像表示装置とシャッター眼鏡との間で、一方が他方の機種情報等を問い合わせることにより方式を確認し、方式が異なる場合は警告を発する等の方法も考えられる。しかし、これではシステムが複雑となりコストが高くなってしまう。
【００１３】
それゆえに、本発明の目的は、ある方式の映像表示装置またはシャッター眼鏡が、他の方式のシャッター眼鏡または映像表示装置と、不正規な組み合わせが行われた場合に、簡易に判別可能にすることである。
【課題を解決するための手段】
【００１４】
本発明の第１の局面は、左眼用及び右眼用の各映像を交互に表示する映像表示装置であって、各映像を表示する表示画面と表示画面に各映像を表示するタイミングと、シャッター眼鏡が備える左及び右の各シャッターが交互に開閉するように、当該シャッター眼鏡の左または右のいずれか一方のシャッターを開閉する各コマンドを送信するタイミングとを制御するタイミング制御部と、タイミング制御部からの信号に基づいてコマンドを送信する信号送信部とを備え、信号送信部は、第１方式のシャッター眼鏡の左または右のいずれか一方のシャッターを、第１方式のシャッター眼鏡が受信した時に開状態とする第１プロトコルによる開コマンド、及び、第１方式のシャッター眼鏡が受信した時に閉状態とする第１プロトコルによる閉コマンドと、第２方式のシャッター眼鏡の左または右のいずれか一方のシャッターを、第２方式のシャッター眼鏡が受信した時に開状態とする第２プロトコルによる開コマンド、及び、第２方式のシャッター眼鏡が受信した時に閉状態とする第２プロトコルによる閉コマンドとを送信し、タイミング制御部は、第１プロトコルによる開コマンドの送信から第１プロトコルによる閉コマンドの送信までの第１の所定時間と比べて、第２プロトコルによる開コマンドの送信から第２プロトコルによる閉コマンドの送信までの第２の所定時間が短くなるように制御する。
【００１５】
ここで、第２の所定時間は、第１の所定時間の半分より短いことが好ましい。
【００１６】
また、表示画面と信号送信部は別体に設けられても良い。
【００１７】
本発明はまた、第２の局面として、左及び右のシャッターと、映像表示装置が送信する左または右のシャッター開閉の各コマンドを受信する信号受信部と、信号受信部が受信したコマンドに基づいて、各シャッターの開閉を制御するシャッター制御部とを備えたシャッター眼鏡であって、信号受信部は、第１方式の映像表示装置が送信する第１プロトコルによる開コマンド及び閉コマンドと、第２方式の映像表示装置が送信する第２プロトコルによる開コマンド及び第２プロトコルによる開コマンドの送信から第３の所定時間経過後に送信される第２プロトコルによる閉コマンドを受信し、シャッター制御部は、第１プロトコルによる左または右のシャッターの開コマンドの受信時に、当該シャッターを開状態とし、第１プロトコルによる左または右のシャッターの閉コマンドの受信時に、当該シャッターを閉状態とし、第２プロトコルによる左または右のシャッターの開コマンドを受信時に、当該シャッターを開状態とし、当該シャッターが開状態となってから第４の所定時間経過後に、当該左または右のシャッターを閉状態とし、第４の所定時間は、第３の所定時間に比べて短くなるように制御する。
【００１８】
ここで、第４の所定時間は、第３の所定時間の半分より短いことが好ましい。
【００１９】
本発明はまた、第３の局面として、上述のような映像表示装置とシャッター眼鏡とからなる映像表示システムにも向けられる。
【００２０】
ここで、映像表示装置のタイミング制御部は、第１プロトコルによる左または右のシャッターの開コマンドの送信から当該シャッターの第２プロトコルによる開コマンドの送信までの第５の所定時間が、第１の所定時間に比べて短くなるように制御し、シャッター眼鏡のシャッター制御部は、第２プロトコルによる左または右のシャッターの開コマンドの受信時から第６の所定時間経過後に、第６の所定時間内に第１プロトコルによるコマンドを受信しなかった場合に、当該シャッターを開状態とし、第５の所定時間と第６の所定時間の合計は、第１の所定時間と比べて長くなるように制御することが好ましい。
【００２１】
ここで、映像表示装置のタイミング制御部は、第１プロトコルによる左または右のシャッターの開コマンドの送信から当該シャッターの第２プロトコルによる開コマンドの送信までの第５の所定時間は、第１の所定時間に比べて短くなるように制御し、シャッター眼鏡のシャッター制御部は、シャッター眼鏡の左または右のシャッターが開状態で、信号受信部が第２プロトコルによる開コマンドを受信した場合、第２プロトコルによる開コマンドを無効とすることが好ましい。
【発明の効果】
【００２２】
本発明によれば、映像表示システムにおいて、映像表示装置またはシャッター眼鏡が、他の光学方式の映像表示システムの映像表示装置またはシャッター眼鏡と、不正規な組み合わせが行われた場合に、低コストで判別可能にすることができる。
【図面の簡単な説明】
【００２３】
【図１】本発明の一実施形態に係る映像表示システムの構成を示す図
【図２】本発明の一実施形態に係る映像表示システムの機能ブロック図
【図３】第１方式および第２方式の映像表示システムの動作を示す図
【図４】本発明の一実施形態に係る映像表示システムの動作を示す図
【図５】本発明の一実施形態に係る映像表示システムの動作を示す図
【図６】本発明の一実施形態に係る映像表示システムの動作を示す図
【図７】本発明の一実施形態に係る映像表示システムの動作を示す図
【図８】従来の映像表示システムの動作を示す図
【図９】従来の映像表示システムの動作における課題を示す図
【発明を実施するための形態】
【００２４】
（実施形態）
本発明の実施形態について以下に説明する。図１は本実施形態に係る映像表示システム１００の構成を示す図であり、図２は映像表示システム１００の機能ブロック図である。映像表示システム１００は、映像表示装置１１０及びシャッター眼鏡１２０とから構成される。映像表示装置１１０は、表示画面１１１、信号送信部１１２及びタイミング制御部１１３を備える。シャッター眼鏡１２０は、信号受信部１２３、左シャッター１２２、右シャッター１２１及びシャッター制御部１２４を備える。なお、図１では、映像表示装置１１０の各構成要素は、１つの筐体に一体的に収容される構成としているが、例えば、信号送信部１１２は、表示画面１１１等を収容する本体としての筐体とは別体に設けられ、本体と有線または無線で接続される構成としても良い。
【００２５】
映像表示装置１１０のタイミング制御部１１３は、表示画面１１１に映像を表示するタイミングを制御するとともに、シャッター眼鏡が備える左及び右の各シャッターが交互に開閉するように、シャッター眼鏡の左または右のいずれか一方のシャッターを開閉する各コマンドを送信するタイミングを制御する。映像表示装置１１０の信号送信部１１２は、タイミング制御部１１３からの信号に基づいて、シャッター眼鏡１２０を制御するコマンドを送信する。シャッター眼鏡１２０の信号受信部１２３は、映像表示装置１１０の信号送信部１１２からの信号を受信する。シャッター眼鏡１２０のシャッター制御部１２４は、信号受信部１２３が受信したコマンドに応答して、シャッター眼鏡１２０の左シャッター１２２及び右シャッター１２１を制御する。
【００２６】
以下に、映像表示システムの動作を説明する。まず、図３において第１方式の映像表示システムと第２方式の映像表示システムについて説明する。ここで、第２方式の映像表示システムは、既存のシステムを例示する。第１方式の映像表示システムは、新たなシステムを例示している。本実施形態に係る映像表示装置１１０又はシャッター眼鏡１２０は、第１方式の映像表示装置またはシャッター眼鏡とは、それぞれと正規の組み合わせを構成し、正しく動作する。一方、本実施形態に係る映像表示装置１１０又はシャッター眼鏡１２０は、第２方式の映像表示装置または第２方式のシャッター眼鏡とは不正規の組み合わせとなる。図４において、本実施形態に係る映像表示装置１１０の動作を説明し、第１方式または第２方式のシャッター眼鏡１２０と組み合わせた場合の動作について説明する。図５において、本実施形態に係るシャッター眼鏡について、第１方式または第２方式の映像表示装置と組み合わせた場合の動作について説明する。さらに図６、７において、本実施形態に係る映像表示装置１１０と本実施形態に係るシャッター眼鏡１２０を組み合わせた場合に不具合を回避する方法について説明する。図３乃至７において、実線の矢印は、第１プロトコルのコマンドの送信を表し、点線の矢印は、第２プロトコルのコマンドの送信を表す。
【００２７】
(第１方式の映像表示システムと第２方式の映像表示システム)
まずは、図３を参照して、第１方式の映像表示システムと第１方式とは異なる方式の第２方式の映像表示システムについて説明する。第１方式の映像表示システムは、第１方式の映像表示装置と第１方式のシャッター眼鏡から構成される。第２方式の映像表示システムは、第２方式の映像表示装置と第２方式のシャッター眼鏡から構成される。
【００２８】
第１方式の映像表示装置は、左眼用の映像を表示画面に書き終わるタイミングで、第１プロトコルの左シャッター開コマンドを送信する（ステップＳ３０１）。第１プロトコルの左シャッター開コマンドを受信した第１方式のシャッター眼鏡は、左シャッターを開状態とする（ステップＳ３０２）。第１方式の映像表示装置は、ステップＳ３０１から第１の所定時間Ｔ１経過後、第１プロトコルの左シャッター閉コマンドを送信する（ステップＳ３０３）。第２プロトコルの左シャッター閉コマンドを受信した第１方式のシャッター眼鏡は、左シャッターを閉状態とする（ステップＳ３０４）。
【００２９】
次に、第１方式の映像表示装置は、右眼用の映像を表示画面に書き終わるタイミングで、第１プロトコルの右シャッター開コマンドを送信する（ステップＳ３０５）。第１プロトコルの右シャッター開コマンドを受信した第１方式のシャッター眼鏡は、右シャッターを開状態とする（ステップＳ３０６）。第１方式の映像表示装置は、ステップＳ３０５から第１の所定時間Ｔ１経過後、第１プロトコルの右シャッター閉コマンドを送信する（ステップＳ３０７）。第２プロトコルの右シャッター閉コマンドを受信した第１方式のシャッター眼鏡は、右シャッターを閉状態とする（ステップＳ３０８）。
【００３０】
第２方式の映像表示装置は、左眼用の映像を表示画面に書き終わるタイミングで、第２プロトコルの左シャッター開コマンドを送信する（ステップＳ３０９）。第２プロトコルの左シャッター開コマンドを受信した第２方式のシャッター眼鏡は、左シャッターを開状態とする（ステップＳ３１０）。第２方式の映像表示装置は、ステップＳ３０９から第３の所定時間Ｔ３経過後、第２プロトコルの左シャッター閉コマンドを送信する（ステップＳ３１１）。第２プロトコルの左シャッター閉コマンドを受信した第１方式のシャッター眼鏡は、左シャッターを閉状態とする（ステップＳ３１２）。
【００３１】
次に、第２方式の映像表示装置は、右眼用の映像を表示画面に書き終わるタイミングで、第２プロトコルの右シャッター開コマンドを送信する（ステップＳ３１３）。第２プロトコルの右シャッター開コマンドを受信した２方式のシャッター眼鏡は、右シャッターを開状態とする（ステップＳ３１４）。第２方式の映像表示装置は、ステップＳ３１３から第３の所定時間Ｔ３経過後、第２プロトコルの右シャッター閉コマンドを送信する（ステップＳ３１５）。第２プロトコルの右シャッター閉コマンドを受信した第２方式のシャッター眼鏡は、右シャッターを閉状態とする（ステップＳ３１６）。
【００３２】
（本実施形態の映像表示装置）
図４の(ａ)に、本実施形態に係る映像表示装置１１０の動作の様子を示す。映像表示装置１１０は、左眼用の映像を表示画面に書き終わるタイミングで、第１プロトコルの左シャッター開コマンドを送信する（ステップＳ４０１）。次に、ステップＳ４０１から第１の所定時間Ｔ１経過後、第１プロトコルの左シャッター閉コマンドを送信する（ステップＳ４０２）。その後、映像表示装置１１０は、第２プロトコルの左シャッター開コマンドを送信する（ステップＳ４０３）。ステップＳ４０３から第２の所定時間Ｔ２経過後、第２プロトコルの左シャッター閉コマンドを送信する（ステップＳ４０４）。
【００３３】
次に、映像表示装置１１０は、右眼用の映像を表示画面に書き終わるタイミングで、第１プロトコルの右シャッター開コマンドを送信する（ステップＳ４０５）。次に、ステップＳ４０５から第１の所定時間Ｔ１経過後、第１プロトコルの右シャッター閉コマンドを送信する（ステップＳ４０６）。その後、映像表示装置１１０は、第２プロトコルの左シャッター開コマンドを送信する（ステップＳ４０７）。ステップＳ４０７から第２の所定時間Ｔ２経過後、第２プロトコルの左シャッター閉コマンドを送信する（ステップＳ４０８）。
【００３４】
ここで、第２の所定時間Ｔ２は、第１の所定時間Ｔ１と比べて短い時間が設定されている。図４の（ａ）では、第２プロトコルの左右シャッター開閉コマンドの送信（ステップＳ４０３、Ｓ４０４、Ｓ４０７、Ｓ４０８）を、第１プロトコルの左右シャッター閉コマンド送信（ステップＳ４０２、Ｓ４０６）後に設定しているが、これに限られるものではない。例えば、第１プロトコルの左右シャッター開コマンド送信（ステップＳ４０１、Ｓ４０５）から、第１プロトコルの左右シャッター閉コマンド送信（ステップＳ４０２、Ｓ４０６）までの間であってもよい。左眼用の映像が表示画面に表示されている間であれば、第２プロトコルの左シャッター開閉コマンドを送信（ステップＳ４０３、Ｓ４０４）する設定に出来る。また、右眼用の映像についても同様である。
【００３５】
図４の（ｂ）は、本実施形態の映像表示装置１１０と第１方式のシャッター眼鏡を組み合わせた場合の動作の様子を示す。映像表示装置１１０は、左眼用の映像を表示画面に書き終わるタイミングで、第１プロトコルの左シャッター開コマンドを送信する（ステップＳ４０１）。第１プロトコルの左シャッター開コマンドを受信した第１方式のシャッター眼鏡は、左シャッターを開状態とする（ステップＳ４０９）。次に、ステップＳ４０１から第１の所定時間Ｔ１経過後、第１プロトコルの左シャッター閉コマンドを送信する（ステップＳ４０２）。第１プロトコルの左シャッター閉コマンドを受信した第１方式のシャッター眼鏡は、左シャッターを閉状態とする（ステップＳ４１０）。その後、映像表示装置１１０は、第２プロトコルの左シャッター開コマンドを送信する（ステップＳ４０３）。次に、ステップＳ４０３から第２の所定時間Ｔ２経過後、第２プロトコルの左シャッター閉コマンドを送信する（ステップＳ４０４）。第２プロトコルの左シャッター開閉コマンドを受信しても、第１方式のシャッター眼鏡は、何の応答も行わない（ステップＳ４１１、４１２）。
【００３６】
次に、映像表示装置１１０は、右眼用の映像を表示画面に書き終わるタイミングで、第１プロトコルの右シャッター開コマンドを送信する（ステップＳ４０５）。第１プロトコルの右シャッター開コマンドを受信した第１方式のシャッター眼鏡は、右シャッターを開状態とする（ステップＳ４１３）。次に、ステップＳ４０５から第１の所定時間Ｔ１経過後、第１プロトコルの右シャッター閉コマンドを送信する（ステップＳ４０６）。第２プロトコルの右シャッター閉コマンドを受信した第１方式のシャッター眼鏡は、右シャッターを閉状態とする（ステップＳ４１４）。その後、映像表示装置１１０は、第２プロトコルの右シャッター開コマンドを送信する（ステップＳ４０７）。次に、ステップＳ４０７から第２の所定時間Ｔ２経過後、第２プロトコルの右シャッター閉コマンドを送信する（ステップＳ４０８）。第２プロトコルの右シャッター開閉コマンドを受信しても、第１方式のシャッター眼鏡は、何の応答も行わない（ステップＳ４１５，４１６）。
【００３７】
以上により、第１方式のシャッター眼鏡の左右の各シャッター開閉は、映像表示装置１１０による第１プロトコルの開閉コマンドにより、左及び右映像の表示の切り替えと同期される。従って、第１方式のシャッター眼鏡をかけて映像表示装置１１０の映像を見る視聴者は、立体映像を認識することができる。
【００３８】
図４の（ｃ）は、本実施形態の映像表示装置１１０と第２方式のシャッター眼鏡を組み合わせた場合の動作の様子を示す。映像表示装置１１０は、左眼用の映像を表示画面に書き終わるタイミングで、第１プロトコルの左シャッター開コマンドを送信する（ステップＳ４０１）。次に、ステップＳ４０１から第１の所定時間Ｔ１経過後、第１プロトコルの左シャッター閉コマンドを送信する（ステップＳ４０２）。第１プロトコルの左シャッター開閉コマンドを受信しても、第２方式のシャッター眼鏡は、何の応答も行わない（ステップＳ４１７、４１８）。
【００３９】
その後、映像表示装置１１０は、第２プロトコルの左シャッター開コマンドを送信する（ステップＳ４０３）。第２プロトコルの左シャッター開コマンドを受信した第２方式のシャッター眼鏡は、左シャッターを開状態とする（ステップＳ４１９）。次に、ステップＳ４０３から第２の所定時間Ｔ２経過後、第２プロトコルの左シャッター閉コマンドを送信する（ステップＳ４０４）。第２プロトコルの左シャッター開コマンドを受信した第２方式のシャッター眼鏡は、左シャッターを閉状態とする（ステップＳ４２０）。
【００４０】
次に、映像表示装置１１０は、右眼用の映像を表示画面に書き終わるタイミングで、第１プロトコルの右シャッター開コマンドを送信する（ステップＳ４０５）。次に、ステップＳ４０５から第１の所定時間Ｔ１経過後、第１プロトコルの右シャッター閉コマンドを送信する（ステップＳ４０６）。第１プロトコルの右シャッター開閉コマンドを受信しても、第２方式のシャッター眼鏡は、何の応答も行わない（ステップＳ４２１、４２２）。
【００４１】
その後、映像表示装置１１０は、第２プロトコルの右シャッター開コマンドを送信する（ステップＳ４０７）。第２プロトコルの右シャッター開コマンドを受信した第２方式のシャッター眼鏡は、右シャッターを開状態とする（ステップＳ４２３）。次に、ステップＳ４０７から第２の所定時間Ｔ２経過後、第２プロトコルの右シャッター閉コマンドを送信する（ステップＳ４０８）。第２プロトコルの右シャッター閉コマンドを受信した第２方式のシャッター眼鏡は、右シャッターを閉状態とする（ステップＳ４２４）。
【００４２】
以上により、第２方式のシャッター眼鏡の左右の各シャッター開閉は、映像表示装置１１０による第２プロトコルの開閉コマンドにより、左及び右映像の表示の切り替えと同期される。従って、第２方式のシャッター眼鏡をかけて映像表示装置１１０の映像を見る視聴者は、立体映像を認識することができる。ただし、各シャッターは第１の所定時間Ｔ１より短い第２の所定時間Ｔ２だけ、左映像または右映像を透過させるため、映像の光量は従来の不正規な組み合わせに比べて、さらに低減される。
【００４３】
（本実施形態のシャッター眼鏡）
図５の（ａ）に、第１方式の映像表示装置と本実施形態に係るシャッター眼鏡１２０を組み合わせた場合の動作の様子を示す。第１方式の映像表示装置は、左眼用の映像を表示画面に書き終わるタイミングで、第１プロトコルの左シャッター開コマンドを送信する（ステップＳ５０１）。第１プロトコルの左シャッター開コマンドを受信したシャッター眼鏡１２０は、左シャッター１２２を開状態とする（ステップＳ５０２）。第１方式の映像表示装置は、ステップＳ５０１から第１の所定時間Ｔ１経過後、第１プロトコルの左シャッター閉コマンドを送信する（ステップＳ５０３）。第２プロトコルの左シャッター閉コマンドを受信した第１方式のシャッター眼鏡は、左シャッターを閉状態とする（ステップＳ５０４）。
【００４４】
次に、第１方式の映像表示装置は、右眼用の映像を表示画面に書き終わるタイミングで、第１プロトコルの右シャッター開コマンドを送信する（ステップＳ５０５）。第１プロトコルの右シャッター開コマンドを受信した第１方式のシャッター眼鏡は、右シャッターを開状態とする（ステップＳ５０６）。第１方式の映像表示装置は、ステップＳ５０５から第１の所定時間Ｔ１経過後、第１プロトコルの右シャッター閉コマンドを送信する（ステップＳ５０７）。第２プロトコルの右シャッター閉コマンドを受信した第１方式のシャッター眼鏡は、右シャッターを閉状態とする（ステップＳ５０８）。
【００４５】
以上により、シャッター眼鏡１２０の左右の各シャッター開閉は、第１方式の映像表示装置による第１プロトコルの開閉コマンドにより、左及び右映像の表示の切り替えと同期される。従って、シャッター眼鏡１２０をかけて第１方式の映像表示装置の映像を見る視聴者は、立体映像を認識することができる。
【００４６】
次に、図５の（ｂ）に、第２方式の映像表示装置と本実施形態に係るシャッター眼鏡１２０を組み合わせた場合の動作の様子を示す。第２方式の映像表示装置は、左眼用の映像を表示画面に書き終わるタイミングで、第２プロトコルの左シャッター開コマンドを送信する（ステップＳ５０９）。第２プロトコルの左シャッター開コマンドを受信した（ステップＳ５１０）シャッター眼鏡１２０は、ステップＳ５１０から第６の所定期間Ｔ６を待ち、左シャッターを開状態とする（ステップＳ５１１）。さらに第４の所定時間Ｔ４の経過後、左シャッター１２２を閉状態とする（ステップＳ５１２）。第２方式の映像表示装置は、ステップＳ５０９から第３の所定時間Ｔ３の経過後、第２プロトコルの左シャッター閉コマンドを送信する（ステップＳ５１３）。シャッター眼鏡１２０は、第１プロトコルの左シャッター閉コマンドを受信しても、応答しない（ステップＳ５１４）。
【００４７】
第２方式の映像表示装置は、右眼用の映像を表示画面に書き終わるタイミングで、第２プロトコルの右シャッター開コマンドを送信する（ステップＳ５１５）。第２プロトコルの右シャッター開コマンドを受信した（ステップＳ５１６）シャッター眼鏡は、ステップＳ５１６から第６の所定時間Ｔ６を待ち、右シャッターを開状態とする（ステップＳ５１７）。さらに第４の所定時間Ｔ４の経過後、右シャッター１２２を閉状態とする（ステップＳ５１８）。第２方式の映像表示装置は、ステップＳ５１５から第３の所定時間Ｔ３の経過後、第２プロトコルの右シャッター閉コマンドを送信する（ステップＳ５１９）。シャッター眼鏡１２０は、第２プロトコルの右シャッター閉コマンドを受信しても、応答しない（ステップＳ５２０）。
【００４８】
ここで、第４の所定時間Ｔ４は、第３の所定時間Ｔ３と比べて短い時間が設定されている。第６の所定時間Ｔ６は自由に設定することができ、ゼロとすることも出来る。つまり、第２プロトコルの左右シャッター開コマンドを受信した（ステップＳ５１０、Ｓ５１６）シャッター眼鏡１２０は、直ちに左右シャッターを開状態とすることも出来る（ステップＳ５１１、Ｓ５１７）。また、第６の所定時間Ｔ６を第３の所定時間Ｔ３より長く設定して、第２プロトコルの左右シャッター閉コマンドを受信後（ステップＳ５１４、Ｓ５２０）に、左右シャッターを開状態とすることも出来る（ステップＳ５１１、Ｓ５１７）。左眼用の映像が表示画面に表示されている間であればいつでも、左シャッターを開状態（ステップＳ５１１）と閉状態（ステップＳ５１２）とする設定に出来る。また、右眼用の映像についても同様である。
【００４９】
以上により、本実施形態に係るシャッター眼鏡１２０の左右の各シャッター開閉は、第２方式の映像表示装置による第２プロトコルの開コマンドにより、左及び右映像の表示の切り替えと同期される。従って、シャッター眼鏡１２０をかけて第２方式の映像表示装置の映像を見る視聴者は、立体映像を認識することができる。ただし、各シャッターは第３の所定時間Ｔ３より短い第４の所定時間Ｔ４だけ、左映像または右映像を透過させるため、映像の光量は従来の不正規な組み合わせに比べて、さらに低減される。
【００５０】
不正規な組み合わせの場合、シャッター眼鏡を透過する光量はより低いことが好ましい。そのため、第２の所定時間Ｔ２は、第１の所定時間Ｔ１の半分より短くすることが好ましい。また、第４の所定時間Ｔ４は、第３の所定時間Ｔ３の半分より短くすることが好ましい。さらに、本実施例では、映像表示装置１１０は、各フレーム周期において第２プロトコルによるシャッター開閉コマンドを送信するものとした。しかし、２以上のフレーム周期につき１回、これらのコマンドを送信することで、光量を抑制してもよい。この場合、コマンド送信頻度が低減され、信号送信部１１２の発光素子を長寿命化する効果も得られる。
【００５１】
このように、不正規ないずれの組み合わせにおいても、視聴者は、立体映像を見ることができる。したがって、実際に故障が発生し立体映像を見ることができない場合との判別ができ、故障と誤解しにくくなる。また、視野が暗闇となり視覚が奪われる危険もない。また、商品として想定される品質から大きく外れる低い光量となるため、映像表示システムの品質を誤認するより、不正規な組み合わせであると気付く可能性のほうが高くなる。したがって、視聴者がこの組み合わせの使用を継続したり、市場が混乱したりすることを防止できる。
【００５２】
（本実施形態の映像表示システム）
次に、本実施形態に係る映像表示装置１１０及びシャッター眼鏡１２０の組み合わせた場合に想定される不具合とその回避策について説明する。映像表示装置１１０は、第１プロトコルによる開閉コマンドだけでなく、第２プロトコルによる開閉コマンドも送信する。また、シャッター眼鏡１２０は、第１プロトコルによる開閉コマンドを受信して左右シャッターの開閉を制御するだけでなく、第２プロトコルによる開閉コマンドを受信しても、左右シャッターの開閉を制御する。従って、映像表示装置１１０の第１および第２プロトコルによる開閉コマンドの発信のタイミングと、シャッター眼鏡１２０のシャッター開閉の制御方法によっては、シャッター眼鏡１２０のシャッターが望まないタイミングで開閉し、品質良い映像を視聴者が得られないという不具合が想定される。
【００５３】
（不具合の回避策１）
そこで、映像表示装置１１０は、第１プロトコルの左右シャッター開コマンドの送信から第２プロトコルの当該シャッターの開コマンドの送信までの第５の所定時間Ｔ５を、第１の所定時間Ｔ１に比べて短くすることが好ましい。また、シャッター眼鏡１２０は、第２プロトコルによる左または右のシャッター開コマンドの受信時から第６の所定時間Ｔ６の経過後に、第６の所定時間Ｔ６内に第１プロトコルによるコマンドを受信しなかった場合に、シャッターを開状態とすることが好ましい。つまり、シャッター眼鏡１２０は、第６の所定時間Ｔ６内に第１プロトコルによるコマンドを受信した場合には、当該シャッターを開状態とせず、当該コマンドをリセットする。さらに、第５の所定時間Ｔ５と第６の所定時間Ｔ６の合計は、第１の所定時間Ｔ１と比べて長くなることが好ましい。
【００５４】
上記の制御を行う本実施形態にかかる映像表示装置１１０及びシャッター眼鏡１２０を組み合わせた場合の動作の様子を、図６を用いて以下に説明する。
【００５５】
映像表示装置１１０は、左眼用の映像を表示画面に書き終わるタイミングで、第１プロトコルの左シャッター開コマンドを送信する（ステップＳ６１１）。第１プロトコルの左シャッター開コマンドを受信したシャッター眼鏡１２０は、左シャッター１２２を開状態とする（ステップＳ６１２）。映像表示装置１１０は、ステップＳ６１２から第５の所定時間Ｔ５経過後、第２プロトコルの左シャッター開コマンドを送信する（ステップＳ６１３）。第２プロトコルの左シャッター開コマンドを受信したシャッター眼鏡１２０は、第６の所定時間Ｔ６の経過を待つ（ステップＳ６１４）。映像表示装置１１０は、ステップＳ６１３から、第２の所定時間Ｔ２経過後、第２プロトコルの左シャッター閉コマンドを送信する（ステップＳ６１５）。第１プロトコルの左シャッター閉コマンドを受信しても、シャッター眼鏡１２０は、何の応答も行わない（ステップＳ６１６）。映像表示装置１１０は、ステップＳ６１１から第１の所定時間Ｔ１経過後、第１プロトコルの左シャッター閉コマンドを送信する（ステップＳ６１７）。第１プロトコルの左シャッター閉コマンドを受信したシャッター眼鏡１２０は、左シャッター１２２を閉状態とする（ステップＳ６１８）。
【００５６】
第５の所定期間Ｔ５は、第１の所定期間Ｔ１に比べて短い。第５の所定時間Ｔ５と第６の所定時間Ｔ６の合計は、第１の所定時間Ｔ１より長い。従って、シャッター眼鏡１２０は、第６の所定時間Ｔ６経過前に、第１プロトコルの左シャッター閉コマンドを受信（ステップＳ６１８）することになる。そうすると、第２プロトコルの左シャッター開コマンドをリセットし、当該コマンドに関して、その後の処理を行わない。
【００５７】
次に、映像表示装置１１０は、右眼用の映像を表示画面に書き終わるタイミングで、第１プロトコルの右シャッター開コマンドを送信する（ステップＳ６１９）。第１プロトコルの右シャッター開コマンドを受信したシャッター眼鏡１２０は、右シャッター１２１を開状態とする（ステップＳ６２０）。映像表示装置１１０は、ステップＳ６１９から第５の所定時間Ｔ５経過後、第１プロトコルの右シャッター開コマンドを送信する（ステップＳ６２１）。第１プロトコルの右シャッター開コマンドを受信したシャッター眼鏡１２０は、第６の所定時間Ｔ６の経過を待つ（ステップＳ６２２）。映像表示装置１１０は、ステップＳ６２１から、第２の所定時間Ｔ２経過後、第２プロトコルの右シャッター閉コマンドを送信する（ステップＳ６２３）。第２プロトコルの右シャッター閉コマンドを受信しても、シャッター眼鏡１２０は、何の応答も行わない（ステップＳ６２４）。映像表示装置１１０は、ステップＳ６１９から第１の所定時間Ｔ１経過後、第１プロトコルの右シャッター閉コマンドを送信する（ステップＳ６２５）。第１プロトコルの右シャッター閉コマンドを受信したシャッター眼鏡１２０は、右シャッター１２１を閉状態とする（ステップＳ６２６）。
【００５８】
第５の所定期間Ｔ５は、第１の所定期間Ｔ１に比べて短い。第５の所定時間Ｔ５と第６の所定時間Ｔ６の合計は、第１の所定時間Ｔ１より長い。従って、シャッター眼鏡１２０は、ステップＳ６１８において、第６の所定時間Ｔ６経過前に、第１プロトコルの右シャッター閉コマンドを受信（ステップＳ６２６）することになる。そうすると、第２プロトコルの右シャッター開コマンドをリセットし、当該コマンドに関して、その後の処理を行わない。
【００５９】
以上により、シャッター眼鏡１２０の左右の各シャッター開閉は、映像表示装置１１０による第１プロトコルの開閉コマンドにより、左及び右映像の表示の切り替えと同期される。従って、シャッター眼鏡１２０をかけて映像表示装置１１０の映像を見る視聴者は、立体映像を認識することができる。また、映像表示装置１１０が発信する第２プロトコルによる開コマンドは、第１プロトコルによるコマンドによりリセットされるため、不具合が生じない。
【００６０】
（不具合の回避策２）
次に、映像表示装置１１０及びシャッター眼鏡１２０の組み合わせた場合に生じる不具合の別の回避策を示す。第１プロトコルの左右シャッター開コマンドの送信から第２プロトコルの当該シャッターの開コマンドの送信までの第５の所定時間Ｔ５を、第１の所定時間Ｔ１に比べて短くすることが好ましい。また、左または右のシャッターが開状態で、シャッター眼鏡１２０の信号受信部が第２プロトコルによる開コマンドを受信した場合、第２プロトコルによる開コマンドを無効とすることが好ましい。
【００６１】
上記の制御を行う本実施形態にかかる映像表示装置１１０及びシャッター眼鏡１２０を組み合わせた場合の動作の様子を、図７を用いて以下に説明する。
【００６２】
映像表示装置１１０は、左眼用の映像を表示画面に書き終わるタイミングで、第１プロトコルの左シャッター開コマンドを送信する（ステップＳ７１１）。第１プロトコルの左シャッター開コマンドを受信したシャッター眼鏡１２０は、左シャッター１２２を開状態とする（ステップＳ７１２）。映像表示装置１１０は、ステップＳ７１１から第５の所定時間Ｔ５経過後、第２プロトコルの左シャッター開コマンドを送信する（ステップＳ７１３）。第２プロトコルの左シャッター開コマンドを受信した時、シャッター眼鏡１２０の左シャッター１２２は開状態となっているため、第２プロトコルの左シャッター開コマンドは無効化される（ステップＳ７１４）。映像表示装置１１０は、ステップＳ７１３から、第２の所定時間Ｔ２経過後、第２プロトコルの左シャッター閉コマンドを送信する（ステップＳ７１５）。第２プロトコルの左シャッター閉コマンドを受信しても、シャッター眼鏡１２０は、何の応答も行わない（ステップＳ７１６）。映像表示装置１１０は、ステップＳ７１１から第１の所定時間Ｔ１経過後、第１プロトコルの左シャッター閉コマンドを送信する（ステップＳ７１７）。第１プロトコルの左シャッター閉コマンドを受信したシャッター眼鏡１２０は、左シャッター１２２を閉状態とする（ステップＳ７１８）。第１プロトコルの左シャッター開コマンドの送信（ステップＳ７１１）から第２プロトコルの当該シャッターの開コマンドの送信（ステップＳ７１３）までの第５の所定時間Ｔ５は、第１の所定時間Ｔ１に比べて短くなるように制御する。従って、シャッター眼鏡１２０は、右シャッターの開状態で、第２プロトコルによる左シャッターの開コマンドを受信するので、当該コマンドは常に無効化され、不具合が生じることを防止できる。
【００６３】
次に、映像表示装置１１０は、右眼用の映像を表示画面に書き終わるタイミングで、第２プロトコルの右シャッター開コマンドを送信する（ステップＳ７１９）。第２プロトコルの右シャッター開コマンドを受信したシャッター眼鏡１２０は、右シャッター１２１を開状態とする（ステップＳ７２０）。映像表示装置１１０は、ステップＳ７１９から第５の所定時間Ｔ５経過後、第１プロトコルの右シャッター開コマンドを送信する（ステップＳ７２１）。第２プロトコルの右シャッター開コマンドを受信した時、シャッター眼鏡１２０の右シャッター１２１は開状態となっているため、第２プロトコルの右シャッター開コマンドは無効化される（ステップＳ７２２）。映像表示装置１１０は、ステップＳ７２１から、第２の所定時間Ｔ２経過後、第２プロトコルの右シャッター閉コマンドを送信する（ステップＳ７２３）。第２プロトコルの右シャッター閉コマンドを受信しても、シャッター眼鏡１２０は、何の応答も行わない（ステップＳ７２４）。映像表示装置１１０は、ステップＳ７１９から第１の所定時間Ｔ１経過後、第１プロトコルの右シャッター閉コマンドを送信する（ステップＳ７２５）。第１プロトコルの右シャッター閉コマンドを受信したシャッター眼鏡１２０は、右シャッター１２１を閉状態とする（ステップＳ７２６）。第１プロトコルの左シャッター開コマンドの送信（ステップＳ７１１）から第２プロトコルの当該シャッターの開コマンドの送信（ステップＳ７１３）までの第５の所定時間Ｔ５は、第１の所定時間Ｔ１に比べて短くなるように制御する。従って、シャッター眼鏡１２０は、右シャッターの開状態で、第２プロトコルによる右シャッターの開コマンドを受信するので、当該コマンドは常に無効化され、不具合が生じることを防止できる。
【００６４】
以上により、シャッター眼鏡１２０の左右の各シャッター開閉は、映像表示装置１１０による第１プロトコルの開閉コマンドにより、左及び右映像の表示の切り替えと同期される。従って、シャッター眼鏡１２０をかけて映像表示装置１１０の映像を見る視聴者は、立体映像を認識することができる。また、映像表示装置１１０が発信する第２プロトコルによる開コマンドは、シャッター眼鏡１２０のシャッターが開状態で受信されることにより無効化されるため、不具合が生じない。
【００６５】
本実施形態の映像表示装置１１０には、受光型の表示装置であるＬＣＤなどの他、自発光型の表示装置であるＰＤＰ、有機ＥＬディスプレイなどあらゆる表示装置が含まれる。また、上記実施例では、映像表示システムの方式が２つの場合について説明したが、３以上存在する場合にも同様に当てはまる。つまり、映像表示装置１１０から正規のプロトコルのコマンドを送信すると共に、他の２以上の方式のプロトコルのコマンドを送信させれば良い。また、シャッター眼鏡１２０は、正規のプロトコルのコマンドを受光して、正しく制御すると共に、他の２以上の方式のプロトコルの開コマンドを受信した場合には、一定時間シャッターを開状態にした後、自動的に閉状態とすれば足りる。
【００６６】
このように、本発明に係る映像表示システム１００の映像表示装置１１０及びシャッター眼鏡１２０は、それぞれ、既存の映像表示システムのシャッター眼鏡及び映像表示装置と不正規な組み合わせで使用された場合に、視聴者に容易かつ簡易に判別が可能となる
【産業上の利用可能性】
【００６７】
本発明は、映像表示システム等において有用であり、とくにシャッター眼鏡を用いた時分割表示方式の映像表示システムにおいて有用である。
【符号の説明】
【００６８】
１００    映像表示システム
１１０    映像表示装置
１１１    表示画面
１１２    信号送信部
１１３    タイミング制御部
１２０    シャッター眼鏡
１２１    右シャッター
１２２    左シャッター
１２３    信号受信部
１２４    シャッター制御部
【図１】
2012175374.tif 000003
【図２】
2012175374.tif 000004
【図３】
2012175374.tif 000005
【図４】
2012175374.tif 000006
【図５】
2012175374.tif 000007
【図６】
2012175374.tif 000008
【図７】
2012175374.tif 000009
【図８】
2012175374.tif 000010
【図９】
2012175374.tif 000011